(57)【要約】【課題】地上デジタル放送コンテンツの著作権を保護しつつ据え置き型装置用のコンテンツ及び携帯型装置用のコンテンツを互いに独立して利用できるようにする。【解決手段】地上デジタル放送記録装置は、各種データが記録される記録部（１７）と、受信した地上デジタル放送波から復調された複数のパーシャルＴＳを含むＴＳを記録部（１７）に記録する受信データ処理部（１４）と、記録部（１７）と当該装置外部との間でデータの入出力を行う外部入出力部（１８）とを備えている。外部入出力部（１８）は、記録部（１７）から所定のパーシャルＴＳを抜き出し、当該抜き出したデータを当該装置外部に出力する。【選択図】図１
2008066855.tif 000002
【特許請求の範囲】
【請求項１】
地上デジタル放送記録装置であって、
各種データが記録される記録部と、
受信した地上デジタル放送波から復調された複数のパーシャルＴＳを含むトランスポートストリーム（ＴＳ）を前記記録部に記録する受信データ処理部と、
前記記録部と当該装置外部との間でデータの入出力を行う外部入出力部とを備え
前記外部入出力部は、前記記録部から所定のパーシャルＴＳを抜き出し、当該抜き出したデータを当該装置外部に出力する
ことを特徴とする地上デジタル放送記録装置。
【請求項２】
請求項１に記載の地上デジタル放送記録装置において、
前記外部入出力部は、簡易型受信機向け放送のパーシャルＴＳを抜き出す
ことを特徴とする地上デジタル放送記録装置。
【請求項３】
請求項１に記載の地上デジタル放送記録装置において、
前記外部入出力部は、据え置き型受信機向け放送のパーシャルＴＳを抜き出す
ことを特徴とする地上デジタル放送記録装置。
【請求項４】
請求項１に記載の地上デジタル放送記録装置において、
前記記録部は、第１及び第２の記録装置を有するものであり、
前記受信データ処理部は、前記ＴＳを前記第１の記録装置に記録するとともに、前記ＴＳから前記所定のパーシャルＴＳを分離し、当該分離したデータを前記第２の記録装置に記録するものであり、
前記外部入出力部は、前記第２の記録装置から前記所定のパーシャルＴＳを抜き出すものである
ことを特徴とする地上デジタル放送記録装置。
【請求項５】
請求項１に記載の地上デジタル放送記録装置において、
前記記録部は、第１及び第２の記録装置を有するものであり、
前記受信データ処理部は、前記ＴＳを前記所定のパーシャルＴＳとそれ以外のものとに分離し、前者を前記第２の記録装置に記録する一方、後者を前記第１の記録装置に記録するものであり、
前記外部入出力部は、前記第２の記録装置から前記所定のパーシャルＴＳを抜き出すものである
ことを特徴とする地上デジタル放送記録装置。
【請求項６】
請求項１に記載の地上デジタル放送記録装置において、
前記外部入出力部は、前記抜き出したパーシャルＴＳについての著作権保護情報を生成し、当該情報を前記抜き出したパーシャルＴＳとともに当該装置外部に出力する
ことを特徴とする地上デジタル放送記録装置。
【請求項７】
請求項１に記載の地上デジタル放送記録装置において、
前記外部入出力部は、前記記録部において前記所定のパーシャルＴＳを抜き出した部分にダミーデータを挿入する
ことを特徴とする地上デジタル放送記録装置。
【請求項８】
請求項７に記載の地上デジタル放送記録装置において、
前記ダミーデータは、ＮＵＬＬパケットである
ことを特徴とする地上デジタル放送記録装置。
【請求項９】
請求項７に記載の地上デジタル放送記録装置において、
前記外部入出力部は、当該装置外部から前記所定のパーシャルＴＳを抜き出し、前記記録部において前記ダミーデータを当該抜き出したデータに置き換える
ことを特徴とする地上デジタル放送記録装置。
【請求項１０】
請求項１に記載の地上デジタル放送記録装置において、
前記外部入出力部は、前記記録部において前記所定のパーシャルＴＳを抜き出した部分のパケット識別子を別のものに書き換える
ことを特徴とする地上デジタル放送記録装置。
【請求項１１】
請求項１０に記載の地上デジタル放送記録装置において、
前記外部入出力部は、当該装置外部から前記所定のパーシャルＴＳを抜き出し、前記記録部において当該抜き出したパーシャルＴＳに該当する部分のパケット識別子を元に戻す
ことを特徴とする地上デジタル放送記録装置。
【発明の詳細な説明】
【技術分野】
【０００１】
本発明は、地上デジタル放送記録装置に関し、特に、装置に記録した地上デジタル放送のコンテンツを別の装置に転送する技術に関する。
【背景技術】
【０００２】
近年、既存の地上アナログテレビ放送の信号をデジタル化した地上デジタル放送が普及しつつある。地上デジタル放送では、一つの放送帯域が１３のセグメントに分割されており、このうち１２のセグメントは主に据え置き型の機器向けのハイビジョン放送又は標準放送に用いられ、残りの一つのセグメントは主に移動端末などの簡易型受信機向けのいわゆるワンセグ放送に用いられる。
【０００３】
地上デジタル放送で提供されるコンテンツは、高画質、高音質である上に、繰り返し複製しても品質が劣化しないといった特徴を有する。したがって、特に地上デジタル放送ではコンテンツの著作権保護は重要事項であり、ＣＰＲＭ（Content Protection for Recordable Media）などの技術を用いてコピー回数が１回に制限されている（コピーワンス）。コピーワンスの制限がなされたコンテンツは、例えば家庭に置かれた記録装置に記録した時点で１回目のコピーとしてカウントされ、再度の複製は許されず移動又は削除のみが可能である。
【０００４】
このような著作権保護がなされた地上デジタル放送のコンテンツを屋内据え置き型の装置と携帯型の装置とで共用する場合、次のような問題が生じる。すなわち、一般に、据え置き型装置は、高画質高音質のコンテンツを記録再生する機能を持ち、記録容量も大きいのに対して、携帯型装置は、サイズ、重量、販売価格などに対する制約から、再生能力が低く、記録容量も小さい。したがって、据え置き型装置に記録したコンテンツを携帯型装置で再生するには、携帯型装置の再生能力に適した画質音質とデータサイズになるようにダウンコンバートなどが行われる。しかし、たとえダウンコンバートされるとしてもコンテンツを携帯型装置に転送する以上、コピーワンスの制限から、オリジナルコンテンツを据え置き型装置にそのまま保持しておくことは許されない。したがって、据え置き型装置に記録されたコンテンツを携帯型装置に転送した後に再度据え置き型装置でそのコンテンツを再生するには、携帯型装置に転送したコンテンツを据え置き型装置に移動する必要がある。しかし、当該コンテンツはダウンコンバートされたものであり、もはや据え置き型装置で再生した場合でもオリジナルコンテンツが本来保持していた高画質高音質での再生ができなくなってしまう。
【０００５】
従来、上記問題を解決するために、第１の装置から第２の装置にコンテンツを転送する際に、第１の装置においてオリジナルコンテンツを暗号化した状態で保存しておき、第２の装置にはダウンコンバートしたコンテンツを転送するものがある（例えば、特許文献１参照）。これによると、暗号化によって第１の装置に保存されたコンテンツの著作権を保護しつつ、第２の装置においてダウンコンバートされたコンテンツを再生することができるとともに、第２の装置に転送されたコンテンツを鍵として第１の装置に保存された暗号化コンテンツを復号することで、第１の装置において高画質高音質のオリジナルコンテンツを再び再生することができる。
【特許文献１】特開２００５―２７７４９３号公報
【発明の開示】
【発明が解決しようとする課題】
【０００６】
しかし、上記技術は据え置き型装置に保存されたオリジナルコンテンツ及び携帯型装置に転送されるダウンコンバートされたコンテンツの両者を一対にして管理しなければ、第１の装置においてオリジナルコンテンツの再度の再生が不可能となることがある。例えば、第２の装置に転送されたコンテンツが手元にない場合には第１の装置においてオリジナルコンテンツを再生することができない。さらに、ダウンコンバートされたコンテンツを紛失又は削除してしまった場合、第２の装置において当該コンテンツの再生ができなくなってしまうばかりか、第１の装置に保存された暗号化コンテンツを復号する鍵が得られなくなってしまうため、第１の装置においてもはやオリジナルコンテンツの再生ができなくなってしまう。
【０００７】
上記課題に鑑み、本発明は、地上デジタル放送記録装置について、据え置き型装置用のコンテンツ及び携帯型装置用のコンテンツを互いに独立して利用できるようにすることを目的とする。
【課題を解決するための手段】
【０００８】
上記課題を解決するために本発明が講じた手段は、地上デジタル放送記録装置として、各種データが記録される記録部と、受信した地上デジタル放送波から復調された複数のパーシャルＴＳを含むトランスポートストリーム（ＴＳ）を記録部に記録する受信データ処理部と、記録部と当該装置外部との間でデータの入出力を行う外部入出力部とを備えたものとする。そして、外部入出力部は、記録部から所定のパーシャルＴＳを抜き出し、当該抜き出したデータを当該装置外部に出力するものとする。
【０００９】
この構成によると、複数のパーシャルＴＳを含むＴＳが記録部に記録され、これから所定のパーシャルＴＳを抜き出して当該装置外部に出力することができる。これにより、当該所定のパーシャルＴＳは記録部から抜き出されると当該装置においてもはや利用できなくなるが、記録部に残存する他のパーシャルＴＳは当該装置外部に出力されたデータとは独立して当該装置において利用することができる。
【００１０】
具体的には、外部入出力部は、簡易型受信機向け放送又は据え置き型受信機向け放送のパーシャルＴＳを抜き出す。
【００１１】
好ましくは、記録部は、第１及び第２の記録装置を有するものとする。また、受信データ処理部は、ＴＳを第１の記録装置に記録するとともに、ＴＳから所定のパーシャルＴＳを分離し、当該分離したデータを第２の記録装置に記録するものとする。そして、外部入出力部は、第２の記録装置から所定のパーシャルＴＳを抜き出すものとする。
【００１２】
これによると、受信データ処理部によってＴＳから所定のパーシャルＴＳが分離され、当該分離されたデータは専用の第２の記録装置に記録される。そして、外部入出力部によって第２の記録装置からデータが抜き出され、当該装置外部に所定のパーシャルＴＳが出力される。ここで、パーシャルＴＳの分離処理は受信データ処理部が行うが、受信データ処理部はもともと当該機能を有しているため、ハードウェア規模を増大させることなく当該処理を実現することができる。
【００１３】
また、好ましくは、記録部は、第１及び第２の記録装置を有する。受信データ処理部は、ＴＳを所定のパーシャルＴＳとそれ以外のものとに分離し、前者を第２の記録装置に記録する一方、後者を第１の記録装置に記録する。そして、外部入出力部は、第２の記録装置から所定のパーシャルＴＳを抜き出す。
【００１４】
これによると、受信データ処理部によってＴＳが所定のパーシャルＴＳとそれ以外のものとに分離され、所定のパーシャルＴＳは第２の記録装置に、それ以外のパーシャルＴＳは第１の記録装置に、それぞれ記録される。そして、外部入出力部によって第２の記録装置からデータが抜き出され、当該装置外部に所定のパーシャルＴＳが出力される。ここで、パーシャルＴＳの分離処理は受信データ処理部が行うが、受信データ処理部はもともと当該機能を有しているため、ハードウェア規模を増大させることなく当該処理を実現することができる。また、当該装置において所定のパーシャルＴＳが取り除かれたＴＳを再生する場合、分離処理はもはや不要であり、第１の記録装置からデータを読み出すだけでよくなる。
【００１５】
また、好ましくは、外部入出力部は、上記の抜き出したパーシャルＴＳについての著作権保護情報を生成し、当該情報を上記の抜き出したパーシャルＴＳとともに当該装置外部に出力するものとする。これによると、当該装置外部に出力される放送コンテンツの著作権を保護することができる。
【００１６】
また、好ましくは、外部入出力部は、記録部において所定のパーシャルＴＳを抜き出した部分にダミーデータを挿入するものとする。より好ましくは、ダミーデータはＮＵＬＬパケットであるとする。そして、具体的には、外部入出力部は、当該装置外部から所定のパーシャルＴＳを抜き出し、記録部においてダミーデータを当該抜き出したデータに置き換えるものとする。
【００１７】
これによると、記録部から抜き出された所定のパーシャルＴＳについては記録部から再度の読み出しができなくなり、当該コンテンツの著作権が保護される。また、当該装置外部に出力されたデータを取り戻してＴＳを復元する場合において、記録部においてデータを戻すべき位置がダミーデータによって示されるため、当該ＴＳの復元処理が容易になる。
【００１８】
また、好ましくは、外部入出力部は、記録部において所定のパーシャルＴＳを抜き出した部分のパケット識別子を別のものに書き換えるものとする。より好ましくは、外部入出力部は、当該装置外部から所定のパーシャルＴＳを抜き出し、記録部において当該抜き出したパーシャルＴＳに該当する部分のパケット識別子を元に戻すものとする。
【００１９】
これによると、記録部から抜き出された所定のパーシャルＴＳについては記録部から読み出して再生することができなくなり、当該コンテンツの著作権が保護される。また、当該装置外部に出力されたデータを取り戻してＴＳを復元する場合において、記録部においてデータを戻すべき位置が書き換えられたパケット識別子によって示されるため、当該ＴＳの復元処理が容易になる。
【発明の効果】
【００２０】
以上説明したように、本発明によると、据え置き型装置用のコンテンツ及び携帯型装置用のコンテンツを互いに独立して利用できるようになる。
【発明を実施するための最良の形態】
【００２１】
以下、本発明を実施するための最良の形態について、図面を参照しながら説明する。
【００２２】
（第１の実施形態）
図１は、第１の実施形態に係る地上デジタル放送記録装置の構成を示す。本装置は、アンテナ１１、チューナ１２、復調部１３、受信データ処理部１４、デコード処理部１５、出力部１６、記録部１７及び外部入出力部１８を備えている。
【００２３】
アンテナ１１は地上デジタル放送波を受信する。具体的には、アンテナ１１は、ホイップ（ロッド）アンテナ、ダイポールアンテナ、八木・宇田アンテナ、パラボラアンテナ、ループアンテナ、誘電体アンテナなどである。
【００２４】
チューナ１２は当該受信した放送波を指定されたチャンネルに対応する周波数を同調させることにより、所望のチャンネルを選局する。復調部１３は当該選局されたチャンネルを通じて受信した信号からデジタルストリームデータ、具体的には、トランスポートストリーム（ＴＳ）を復調する。当該ＴＳは、映像、音声、セクション情報などのデータが多重化されたものである。
【００２５】
ＴＳは、１３セグメントのデータを含んでいる。１３セグメントのデータのうち、１２セグメントのデータは据え置き型受信機向け放送のパーシャルＴＳであり、残り１セグメントのデータは簡易型受信機向け放送のパーシャルＴＳである。なお、据え置き型受信機向け放送のパーシャルＴＳとは、その用途を据え置き型受信機に限定するものではない。据え置き型受信機向け放送のパーシャルＴＳは、高画質高音質のコンテンツの再生を可能にするデータであり、主に高画質高音質のコンテンツの再生が可能な据え置き型受信機で使用される。また、簡易型受信機向け放送のパーシャルＴＳとは、その用途を簡易型受信機に限定するものではない。簡易型受信機向け放送のパーシャルＴＳは、据え置き型受信機向け放送のパーシャルＴＳと比べ、コンテンツの再生では画質音質が劣るがデータ量が小さいデータであり、主に簡易型受信機で使用される。
【００２６】
受信データ処理部１４は復調部１３から供給された１３セグメントすべてのデータを含むＴＳを簡易型受信機向け放送のパーシャルＴＳ及び据え置き型受信機向け放送のパーシャルＴＳに分離する。さらに、受信データ処理部１４は、各パーシャルＴＳを映像データであるビデオＰＥＳ（パケット化エレメンタリーストリーム）、音声データであるオーディオＰＥＳなどの各種データに分離する。当該データは所定の規格に準拠したものである。映像データの規格として、据え置き型受信機向け放送についてはＭＰＥＧ（Motion Picture Experts Group）−２である。ワンセグ放送ではＨ．２６４である。一方、音声データの規格として、据え置き型受信機向け放送についてはＭＰＥＧ−２  ＡＡＣなどがある。ワンセグ放送についてはＭＰＥＧ−２  ＡＡＣやＭＰＥＧ−２  ＡＡＣ＋ＳＢＲなどがある。
【００２７】
デコード処理部１５は受信データ処理部１４によって分離された各種データをデコードし、映像についてはＹＵＶ信号やＲＧＢ信号などを、音声についてはＰＣＭ信号などを、それぞれ出力する。出力部１６はデコード処理部１５から出力された各種信号をユーザが認識し得る形態で出力する。具体的には、ＣＲＴ、ＬＣＤ、ＰＤＰ、有機ＥＬなどの表示装置に映像を表示し、スピーカ、イヤホン、ヘッドフォンなどの音声出力装置から音声を出力する。
【００２８】
地上デジタル放送では、一つの放送チャンネルを用いて複数の異なる放送コンテンツを放送することが可能である。簡易型受信機向けの放送と据え置き型受信機の放送も、この技術を用いて、一つの放送チャンネルでそれぞれ独立のコンテンツが放送されている。
【００２９】
それぞれの放送コンテンツはパーシャルＴＳと呼ばれる単位で構成され、パーシャルＴＳは、さらに小さなＴＳパケットと呼ばれるパケットから構成される。ＴＳパケットは１８８バイトの固定長パケットである。各放送コンテンツを構成するＴＳパケットを時分割で放送することにより、前述した一つの放送チャンネルで複数の異なる放送コンテンツを放送することを可能としている。ＴＳパケットが時分割で送出されている模式図を図２（ａ）に示す。受信データ処理部１４は、１３セグメントすべてのデータ（簡易型受信機向けの放送と据え置き型受信機向けの放送）を含むＴＳを記録部１７に供給する。
【００３０】
記録部１７は、受信データ処理部１４から供給された１３セグメントすべてのデータを含むＴＳをファイルとして記録する。具体的には、記録部１７は、フラッシュメモリ、光ディスク装置、磁気ディスク装置などの電源が切れてもデータ保持が可能な記録装置で構成される。記録したコンテンツを再生する場合、受信データ処理部１４は、記録部１７に記録されたファイルを適宜読み出し、当該読み出したファイルに含まれる据え置き型受信機向け放送のパーシャルＴＳをデコード処理部１５に供給する。
【００３１】
外部入出力部１８は、図２（ｂ）に示したように、記録部１７に記録されたファイルのうちユーザによって指定されたものから簡易型受信機向け放送のパーシャルＴＳの一部又は全部を抜き出し、当該抜き出したパーシャルＴＳを本装置外部に出力する。当該出力先は、メモリカード、光ディスク、磁気ディスクなどの記録媒体、これら記録媒体を備えた機器、有線又は無線ネットワークなどである。ここで、データを「抜き出す」とは、記録部１７においてデータを削除若しくは破壊するか又は少なくともそのままでは利用できないような状態にした上で当該データを取り出すことをいう。これは、一度記録されたコンテンツの再度のコピーを許可しないといった著作権保護の要請に基づくものである。
【００３２】
具体的には、外部入出力部１８は、図２（ｃ）に示したように、記録部１７において簡易型受信機向け放送のパーシャルＴＳを抜き出した部分にダミーデータを挿入する。これにより、ワンセグ放送コンテンツの著作権を保護するとともに、本装置において記録部１７に記録されたハイビジョン放送又は標準放送コンテンツの再生に係るビットレートを一定に保つことができる。また、後述するように、本装置外部からパーシャルＴＳを取り戻して記録部１７のパーシャルＴＳを復元する場合において復元対象箇所が判別可能となる。
【００３３】
ダミーデータとしてＮＵＬＬパケットを用いるのが好ましい。ＮＵＬＬパケットは均一なデータ配列を持つため、データ圧縮を行った場合の効率がよい。ダミーデータの挿入に代えて、当該パケットのＰＩＤを当該パーシャルＴＳに含まれていない特殊なものに書き換えてもよいし、当該パケットのデータ本体を暗号化してもよい。データ本体を暗号化するには暗号処理部を別途設ける必要があるが、ＰＩＤ書き換えに比べて著作権保護に優れている。一方、ＰＩＤ書き換えは暗号化よりも著作権保護に劣るもののハードウェアの追加なしで実現できる点で優れている。
【００３４】
また、外部入出力部１８は、記録部１７から抜き出した簡易型受信機向け放送のパーシャルＴＳについての著作権保護情報を生成し、当該情報を当該抜き出したパーシャルＴＳとともに本装置外部に出力する。これにより、本装置外部に出力されたコンテンツのコピーができなくなり、当該コンテンツの著作権が保護される。
【００３５】
さらに、外部入出力部１８は、本装置外部に出力したパーシャルＴＳを取り戻した場合、記録部１７において当該取り戻したパーシャルＴＳを復元する。具体的には、外部入出力部１８は、本装置外部からパーシャルＴＳを抜き出し、記録部１７におけるダミーデータを当該抜き出したパーシャルＴＳに置き換える。また、記録部１７においてパーシャルＴＳのＰＩＤを書き換えている場合には当該パーシャルＴＳのＰＩＤを元に戻し、データ本体の暗号化をしている場合には復号処理を行う。復号に必要な鍵は、例えば、本装置外部に出力されたパーシャルＴＳに付加されたものを用いる。なお、本装置外部からパーシャルＴＳを抜き出す場合には、著作権保護の観点から当該パーシャルＴＳを完全に削除することが望ましい。
【００３６】
次に、本装置によるワンセグ放送コンテンツの外部出力について、図３のフローチャートを参照しながら説明する。まず、外部メディア又は機器が本装置に接続されたことが検出される（ステップＳ１１）。その後、記録部１７に記録されているワンセグ放送コンテンツファイルのうち接続された外部メディア又は機器に出力すべきものが指定される（ステップＳ１２）。ユーザは、図示しないボタン、マウス、キーボード、タッチパネルなどのマンマシンインタフェースを通じてファイルの指定をすることができる。そして、指定されたファイルが記録部１７に存在するか否かが判定され（ステップＳ１３）、当該ファイルが存在する場合には（ステップＳ１３のＹＥＳ肢）、さらにそのファイルに簡易型受信機向け放送のパーシャルＴＳが含まれているか否かが判定される（ステップＳ１４）。簡易型受信機向け放送のパーシャルＴＳが含まれている場合（ステップＳ１４のＹＥＳ肢）、記録部１７からそれが抜き出され（ステップＳ１５）、当該抜き出されたパーシャルＴＳは本装置に接続された外部メディア又は機器に出力される（ステップＳ１６）。
【００３７】
具体的には、外部入出力部１８は、記録部１７に記録されたパーシャルＴＳの中から“１ＦＣ８”〜“１ＦＣＦ”のいずれかのパケット識別子（ＰＩＤ）が格納されたＰＭＴ（Program Map Table）を探し出す。当該ＰＭＴには、簡易型受信機向け放送のパーシャルＴＳに含まれるオーディオ、ビデオ、セクション情報の各ＰＩＤが記載されている。パーシャルＴＳの抜き出しについては上述したとおりである。
【００３８】
以上、本実施形態によると、放送コンテンツの著作権を保護しつつ、据え置き型装置用のハイビジョン放送コンテンツ及び携帯型装置用のワンセグ放送コンテンツを互いに独立して利用できるようになる。すなわち、たとえ当該装置外部に出力したワンセグ放送コンテンツを紛失しようとも、本装置において同内容のハイビジョン放送コンテンツを再生することができる。
【００３９】
なお、ワンセグ放送コンテンツについてすべてのデータではなく、映像データ、音声データ又は字幕データなどの一部のデータのみを抜き出して外部に出力するようにしてもよい。また、ワンセグ放送の音声データや映像データはＰＥＳ形式でパケット化されているが、これをさらに解析してＥＳ（エレメンタリストリーム）形式のデータを外部に出力してもよい。さらに、外部に出力するデータは、ダウンコンバート、トランスコード、再エンコードなどをして他形式に変換してもよい。
【００４０】
また、記録部１７に簡易型受信機向け放送のパーシャルＴＳを残し、記録部１７からハイビジョン放送又は標準放送のパーシャルＴＳを抜き出して外部に出力するようにしてもよい。
【００４１】
（第２の実施形態）
図４は、第２の実施形態に係る地上デジタル放送記録装置の構成を示す。本装置は、第１の実施形態に係る地上デジタル放送記録装置における記録部１７を二つの記録装置１７１及び１７２で構成したものである。具体的には、記録装置１７１及び１７２は、フラッシュメモリ、光ディスク装置、磁気ディスク装置などである。以下、第１の実施形態と異なる点についてのみ説明する。
【００４２】
放送コンテンツを記録する場合、受信データ処理部１４は、図２（ａ）に示したように１３セグメントすべてのデータを含むＴＳを記録装置１７１に供給するとともに、復調部１３から供給されたＴＳを簡易型受信機向け放送のパーシャルＴＳと据え置き型受信機向け放送のパーシャルＴＳとに分離して、図２（ｂ）に示したように簡易受信型受信機向け放送のパーシャルＴＳを記録装置１７２に供給する。すなわち、記録装置１７２はワンセグ放送の記録専用に設けられたものである。外部入出力部１８は、記録装置１７２に記録されたファイルのうちユーザによって指定されたもののからパーシャルＴＳの一部又は全部を抜き出し、当該抜き出したパーシャルＴＳを本装置外部に出力する。パーシャルＴＳの抜き出しについては上述したとおりである。また、記録装置１７２に記録されているパーシャルＴＳはすべてワンセグ放送に関するものであるため、外部入出力部１８はパーシャルＴＳの抜き出しの際に簡易型受信機向け放送のパーシャルＴＳと据え置き型受信機向け放送のパーシャルＴＳとを分離しなくてよい。
【００４３】
記録装置１７１には、図２（ｃ）に示したように、据え置き型受信機向け放送のパーシャルＴＳのみを記録するようにしてもよい。すなわち、記録装置１７１を据え置き型受信機向け放送のパーシャルＴＳ専用の記録装置としてもよい。これにより、記録装置１７１及び１７２による簡易型受信機向け放送のパーシャルＴＳの重複記録が解消され、記録部１７全体としてのリソース消費量が少なくなる。
【産業上の利用可能性】
【００４４】
本発明に係る地上デジタル放送記録装置は、放送コンテンツの著作権を保護しつつ据え置き型装置用のコンテンツ及び携帯型装置用のコンテンツを互いに独立して利用可能にするため、地上デジタル放送機能を備えたＨＤＤレコーダ、ＤＶＤレコーダ、ＳＴＢ等として有用である。
【図面の簡単な説明】
【００４５】
【図１】第１の実施形態に係る地上デジタル放送記録装置の構成を示す。
【図２】ＴＳパケット構造を示す図である。
【図３】図１に示した地上デジタル放送記録装置によるワンセグ放送コンテンツの外部出力のフローチャートである。
【図４】第２の実施形態に係る地上デジタル放送記録装置の構成を示す。
【符号の説明】
【００４６】
１４  受信データ処理部
１７  記録部
１８  外部入出力部
１７１  記録装置（第１の記録装置）
１７２  記録装置（第２の記録装置）
【図１】
2008066855.tif 000003
【図２】
2008066855.tif 000004
【図３】
2008066855.tif 000005
【図４】
2008066855.tif 000006